(57)【要約】      （修正有）【課題】ガムなどのように一定の大きさを持つ多数の内容物を収納したケースを回転させることによって内容物を少量ずつ排出させてケースの上部に収納した後、キャップボタンを押してケースキャップを開いてから内容物を手軽に取り出すことができるようにしたガム収納容器を提供する。【解決手段】上下側のいずれか一方の側に第１入口１１３が形成され、内部に内容物を収納することができる貯蔵空間１１１を持つケース１１０と、前記第１入口１１３に設けられ、第１入口１１３を開閉する第１ケースキャップ１１７と、前記貯蔵空間１１１と第１ケースキャップ１１７の間に形成され、第１ケースキャップ１１７の下部空間１２１を貯蔵空間１１１から区画し、貯蔵空間１１１の内容物を前記下部空間１２１に排出することができる第１吐出口１２５を持つ第１装着部１２３とを含んでなる。【選択図】図２
0003203211.tif 000002
【実用新案登録請求の範囲】
【請求項１】
上側と下側のいずれか一方の側に第１入口が形成され、内部に内容物を収納することができる貯蔵空間を持つケースと、
前記第１入口に設けられ、前記第１入口を開閉する第１ケースキャップと、
前記貯蔵空間と前記第１ケースキャップの間に形成され、前記第１ケースキャップの下部空間を前記貯蔵空間から区画し、前記貯蔵空間の内容物を前記下部空間に排出することができる第１吐出口を持つ第１装着部と、
を含んだことを特徴とするガム収納容器。
【請求項２】
前記第１装着部は、前記第１吐出口の端縁に隆起した形態に形成され、前記第１吐出口から排出された内容物が前記貯蔵空間に再流入することを防止する第１支持部を有することを特徴とする、請求項１に記載のガム収納容器。
【請求項３】
前記第１ケースキャップは、その底面に、前記第１吐出口側に突設され、前記第１吐出口から排出される内容物を両側に分離して排出する第１分離ガイドを持つことを特徴とする、請求項１に記載のガム収納容器。
【請求項４】
前記ケースは、前記第１入口の反対側に第２入口が形成され、前記第２入口に設けられて前記第２入口を開閉する第２ケースキャップが設けられ、
前記第２ケースキャップと前記貯蔵空間の間に前記第２ケースキャップの下部空間を前記貯蔵空間から区画する第２装着部が形成され、
前記第２装着部は前記貯蔵空間の内容物を前記下部空間に排出することができる第２吐出口を有することを特徴とする、請求項１に記載のガム収納容器。
【請求項５】
前記第２装着部は、前記第２吐出口から排出された内容物が前記貯蔵空間に再流入することを防止するために、前記第２吐出口の端縁に隆起した形態に設けられた第２支持部を有することを特徴とする、請求項４に記載のガム収納容器。
【請求項６】
前記第２ケースキャップは、その底面に、前記第２吐出口側に突設され、前記第２吐出口から排出される内容物を両側に分離して排出する第２分離ガイドを有することを特徴とする、請求項４に記載のガム収納容器。
【考案の詳細な説明】
【技術分野】
【０００１】
本考案はガムやキャンディーなどの内容物の取り出しが簡便な収納容器に関するものである。
【背景技術】
【０００２】
一般に、ガムのような間食類の飲食物は軽いプラスチック容器に収納して密閉状態で保管するように製造され、以後に容器を開封し、ガムを取り出して食べることができるようになる。
【０００３】
添付の図面の図６及び図７は従来の一般的なガム収納容器の斜視図及び断面図を示したものである。
【０００４】
図６及び図７に示したように、従来のガム収納容器は、上端に開口部３を持ち、内部に内容物であるガムを収納することが可能な空間を持つ胴体１、及び前記胴体１の上端部に脱着可能に結合されて開口部３を開閉する蓋２からなっている。
【０００５】
この際、容器の素材（通常プラスチック）と製作工程の特性上、直径の小さい部分であるほど優れた強度を有するため、前記開口部３は胴体１の直径に比べて小さい直径を持つように形成される。
【０００６】
消費者は、前記のような従来のガム収納容器に収納されたガム製品を購入して食べる場合、蓋２の下面に付着される開栓防止型引裂部（ｐｉｌｆｅｒ ｐｒｏｏｆ ｔｅａｒ）を除去した後、蓋２を掴んで上げることで蓋２を開封し、蓋２を開封した後、開口部３を通じて内容物を取り出して食べることができるようになる。
【０００７】
前記のようなガム収納容器の場合、開封後、内部に収納されたガムを取り出して食べるためには、通常指を開封された開口部３内に直接入れてガムを取り出すとかあるいは開封された開口部３を手の平に当ててから傾けることでガムを取り出すことになる。
【０００８】
ところが、従来のガム収納容器は、内容物を取り出すとき、指を開封された開口部３内に直接入れて取り出す場合、他のガム（取り出そうとするガムの周りにあるガム）にも指が触れるため非衛生的であり、また開封された開口部３を手の平に当ててから傾けてガムを取り出す場合、多数のガムが同時に排出されるため、多量の内容物が露出した状態で手で一つずつ摘んで食べなければならないため、非衛生的であり、１〜２粒ずつ少量で取り出すことが不便な欠点がある。
【考案の概要】
【考案が解決しようとする課題】
【０００９】
本考案は前記のような点に鑑みてなされたもので、ガムなどのように一定の大きさを持つ多数の内容物を収納したケースを回転させることによって内容物を少量ずつ排出させてケースの上部に載置した後、キャップボタンを押してケースキャップを開けて内容物を手軽に取り出すようにしたガム収納容器を提供することにその目的がある。
【課題を解決するための手段】
【００１０】
したがって、本考案は、上側と下側のいずれか一方の側に第１入口が形成され、内部に内容物を収納することができる貯蔵空間を持つケースと、前記第１入口に設けられ、前記第１入口を開閉する第１ケースキャップと、前記貯蔵空間と前記第１ケースキャップの間に形成され、前記第１ケースキャップの下部空間を前記貯蔵空間から区画し、前記貯蔵空間の内容物を前記下部空間に排出することができる第１吐出口を持つ第１装着部と、を含んだことを特徴とするガム収納容器である。
本考案は、前記第１装着部は、前記第１吐出口の端縁に隆起した形態に形成され、前記第１吐出口から排出された内容物が前記貯蔵空間に再流入することを防止する第１支持部を有することを特徴とする、ガム収納容器である。
本考案は、前記第１ケースキャップは、その底面に、前記第１吐出口側に突設され、前記第１吐出口から排出される内容物を両側に分離して排出する第１分離ガイドを持つことを特徴とする、ガム収納容器である。
本考案は、前記ケースは、前記第１入口の反対側に第２入口が形成され、前記第２入口に設けられて前記第２入口を開閉する第２ケースキャップが設けられ、前記第２ケースキャップと前記貯蔵空間の間に前記第２ケースキャップの下部空間を前記貯蔵空間から区画する第２装着部が形成され、前記第２装着部は前記貯蔵空間の内容物を前記下部空間に排出することができる第２吐出口を有することを特徴とする、ガム収納容器である。
本考案は、前記第２装着部は、前記第２吐出口から排出された内容物が前記貯蔵空間に再流入することを防止するために、前記第２吐出口の端縁に隆起した形態に設けられた第２支持部を有することを特徴とする、ガム収納容器である。
本考案は、前記第２ケースキャップは、その底面に、前記第２吐出口側に突設され、前記第２吐出口から排出される内容物を両側に分離して排出する第２分離ガイドを有することを特徴とする、ガム収納容器である。
本考案は、上下側のいずれか一側に第１入口が形成され、内部に内容物を収納することができる貯蔵空間を持つケース；前記第１入口の一側に設けられ、第１入口を開閉する第１ケースキャップ；及び前記貯蔵空間と第１ケースキャップの間に形成され、第１ケースキャップの下部空間を貯蔵空間から区画し、貯蔵空間の内容物を前記下部空間に排出することができる第１吐出口を持つ第１装着部；を含んでなることを特徴とする、ガム収納容器を提供する。
【００１１】
本考案の実施例によれば、前記第１装着部は、第１吐出口から排出された内容物が貯蔵空間に再流入することを防止するために、第１吐出口の端縁に隆起した形態に形成された第１支持部を持つことができ、前記第１ケースキャップは、その底面に、第１吐出口側に突設され、第１吐出口から排出される内容物を両側に分離して排出する第１分離ガイドを持つことができる。
【００１２】
また、本考案の実施例によれば、前記ケースは、第１入口の反対側に第２入口が形成され、前記第２入口の一側に設けられて第２入口を開閉する第２ケースキャップが設けられ、前記第２ケースキャップと貯蔵空間の間に第２ケースキャップの下部空間を貯蔵空間から区画する第２装着部が形成され、前記第２装着部は貯蔵空間の内容物を前記下部空間に排出することができる第２吐出口を持つことができる。
【００１３】
また、本考案の実施例によれば、前記第２装着部は、第２吐出口から排出された内容物が貯蔵空間に再流入することを防止するために、第２吐出口の端縁に隆起した形態に設けられた第２支持部を持つことができ、前記第２ケースキャップは、その底面に、第２吐出口側に突設され、第２吐出口から排出される内容物を両側に分離して排出する第２分離ガイドを持つことができる。
【考案の効果】
【００１４】
本考案によるガム収納容器は、従来のプラスチック容器より簡便に開封することができ、内容物が一度に食べられる量だけ少量ずつ排出されるので、残った内容物に手が触れなくて衛生的で簡便に食べることができる。
【図面の簡単な説明】
【００１５】
【図１】本考案の実施例によるガム収納容器を示した斜視図である。
【図２】本考案の実施例によるガム収納容器を示した断面図である。
【図３】本考案の実施例によるガム収納容器の内容物取り出し方式を示した断面図である。
【図４】本考案の実施例によるガム収納容器の内容物取り出し方式を示した斜視図である。
【図５】本考案の実施例によるガム収納容器のケースキャップの開閉形態を示した断面図である。
【図６】従来の一般的なガム収納容器を示した斜視図である。
【図７】従来の一般的なガム収納容器を示した断面図である。
【考案を実施するための形態】
【００１６】
以下、添付図面に基づいて本考案の好適な実施例を説明する。
【００１７】
図１及び図２に示したように、本考案の実施例によるガム収納容器は、円筒状のケース１１０の内部にガムやキャンディーなどの卵形の内容物を収納することができる貯蔵空間１１１を持つ。
【００１８】
前記ケース１１０は、上下両側にそれぞれ第１入口１１３及び第２入口１１５が形成され、前記第１、第２入口１１３、１１５を開閉するための第１ケースキャップ１１７及び第２ケースキャップ１１９がケース１１０の両端の一方の側にそれぞれ回動可能に取り付けられる。
【００１９】
前記貯蔵空間１１１と第１ケースキャップ１１７の間には、第１ケースキャップ１１７の下部空間１２１を貯蔵空間１１１から区分して区画する第１装着部１２３が形成され、第１装着部１２３の中央部には、貯蔵空間１１１の内容物を前記下部空間１２１に排出することができる第１吐出口１２５が形成される。
【００２０】
前記第１装着部１２３には、第１吐出口１２５から排出された内容物が貯蔵空間１１１に再流入することを防止するため、第１吐出口１２５の端縁に隆起した形態に形成された第１支持部１２７が設けられる。
【００２１】
そして、第１ケースキャップ１１７の底面には、第１吐出口１２５側に突設され、第１吐出口１２５から排出される内容物が両側に分離されて排出されるように誘導する第１分離ガイド１２９が形成される。
【００２２】
また、前記貯蔵空間１１１と第２ケースキャップ１１９の間には、第２ケースキャップ１１９の下部空間１３１を貯蔵空間１１１から区分して区画する第２装着部１３３が形成され、第２装着部１３３の中央部には、貯蔵空間１１１の内容物を前記下部空間１３１に排出することができる第２吐出口１３５が形成される。
【００２３】
前記第２装着部１３３には、第２吐出口１３５から排出された内容物が貯蔵空間１１１に再流入することを防止するため、第２吐出口１３５の端縁に隆起した形態に形成された第２支持部１３７が設けられる。
【００２４】
そして、第２ケースキャップ１１９の底面には、第２吐出口１３５側に突設され、第２吐出口１３５から排出される内容物が両側に分離されて排出されるように誘導する第２分離ガイド１３９が形成される。
【００２５】
また、前記ケース１１０の上下両側には、それぞれ第１ケースキャップ１１７及び第２ケースキャップ１１９の閉鎖の際、ロックのための第１ロッキング部１４２及び第２ロッキング部１４４が設けられ、さらに第１ケースキャップ１１７及び第２ケースキャップ１１９の閉鎖の際、ロック解除のための第１キャップボタン１４１及び第２キャップボタン１４３がヒンジ構造に回動可能に設けられる。
【００２６】
前記第１ロッキング部１４２及び第２ロッキング部１４４は、第１ケースキャップ１１７と第２ケースキャップ１１９の閉鎖の際、第１、第２ケースキャップ１１７、１１９の一方の側に設けられた係止突起１１７ａ、１１９ａと噛み合って第１、第２ケースキャップ１１７、１１９が開かれないように保持する役目をする。
【００２７】
そして、前記第１キャップボタン１４１及び第２キャップボタン１４３は、それぞれ使用者によって一方の側に回動するとき、閉まった状態の第１ケースキャップ１１７及び第２ケースキャップ１１９の一端を押し上げることで、第１、第２ロッキング部１４２、１４４による第１、第２ケースキャップ１１７、１１９のロックを解除する。
【００２８】
また、第１キャップボタン１４１及び第２キャップボタン１４３の反対側には、第１ケースキャップ１１７及び第２ケースキャップ１１９のロック解除の際、第１ケースキャップ１１７及び第２ケースキャップ１１９がそれぞれ自動で開くようにする柔軟な板状の第１弾性部材１４５及び第２弾性部材１４７が設けられている。
【００２９】
前記第１弾性部材１４５及び第２弾性部材１４７はケース１１０と第１、第２ケースキャップ１１７、１１９の間に組み込まれ、第１、第２ケースキャップ１１７、１１９が第１、第２入口１１３、１１５を閉めるときにそれぞれ圧縮され、この時に生成した弾性復元力により、第１ケースキャップ１１７及び第２ケースキャップ１１９のロック解除の際、第１、第２ケースキャップ１１７、１１９が自動で開くようにする（図５参照）。
【００３０】
前記第１、第２ケースキャップ１１７、１１９は透明材から製作されることにより、第１、第２装着部１２３、１３３に載置された内容物を肉眼で確認することができるようになる。
【００３１】
以下、前記のように構成された本考案によるガム収納容器から内容物を取り出す過程を図３及び図４に基づいて一例として説明する。
【００３２】
図３を参照し、ケース１１０を、第１ケースキャップ１１７（または第２ケースキャップ１１９）が下方に向かうように立てれば、貯蔵空間１１１の内容物が重力が作用する方向（またはケースの下側）に落下して第１吐出口１２５（または第２吐出口１３５）を通じて少量（２〜３粒位）の内容物が排出される。この時に排出される内容物は第１分離ガイド１２９（または第２分離ガイド１３９）の両側に分けられて第１ケースキャップ１１７（または第２ケースキャップ１１９）の下部空間１２１（または下部空間１３１）に収容される。
【００３３】
ついで、第１ケースキャップ１１７（または第２ケースキャップ１１９）がケース１１０の上方に向かうようにケース１１０を覆せば、第１ケースキャップ１１７（または第２ケースキャップ１１９）の底面に載置されていた内容物が第１装着部１２３（または第２装着部１３３）上に移動する。この際、第１支持部１２７（または第２支持部１３７）は、内容物が第１吐出口１２５（または第２吐出口１３５）を通じて貯蔵空間１１１に再流入することを防止する。
【００３４】
その後、図４に示すように、第１キャップボタン１４１（または第２キャップボタン１４３）を押せば、第１ケースキャップ１１７（または第２ケースキャップ１１９）が回動して第１入口１１３（または第２入口１１５）が自動で開く。この時、第１装着部１２３（または第２装着部１３３）上に載置された内容物を取り出して食べれば良い。
【００３５】
前記第１装着部１２３（または第２装着部１３３）上に載置された内容物を全て食べた後には、前記のような過程を繰り返すことで第２装着部１３３（または第１装着部１２３）に内容物を排出させ、また簡便に食べることができる。
【００３６】
以上、本考案の特定実施例を説明したが、これによって本考案が限定されるものではない。本考案は当業者によって多様に変形実施可能であり、本考案が属する技術分野で通常の知識を持った者が本考案の請求範囲内で実施可能な多様な形態の実施例はいずれも本考案の範囲に含まれる。
【産業上の利用可能性】
【００３７】
本考案は内容物を手軽に取り出すようにしたガム収納容器に適用可能である。
【符号の説明】
【００３８】
１１０    ケース
１１１    貯蔵空間
１１３    第１入口
１１５    第２入口
１１７    第１ケースキャップ
１１９    第２ケースキャップ
１２１    第１ケースキャップの下部空間
１２３    第１装着部
１２５    第１吐出口
１２７    第１支持部
１２９    第１分離ガイド
１３１    第２ケースキャップの下部空間
１３３    第２装着部
１３５    第２吐出口
１３７    第２支持部
１３９    第２分離ガイド
１４１    第１キャップボタン
１４２    第１ロッキング部
１４３    第２キャップボタン
１４４    第２ロッキング部
１４５    第１弾性部材
１４７    第２弾性部材
【図１】
0003203211.tif 000003
【図２】
0003203211.tif 000004
【図３】
0003203211.tif 000005
【図４】
0003203211.tif 000006
【図５】
0003203211.tif 000007
【図６】
0003203211.tif 000008
【図７】
0003203211.tif 000009